(57)【要約】【課題】構造が簡素化され、安価に提供できるとともに、動作不良を招かないないように当初の組み立てや修理等のための分解組み立てなどを行い易い光表示装置を提供する。【解決手段】基部１１及びそこから延在するＬＥＤ配置部１２を含む一体型のＬＥＤ基板１と、基板１のＬＥＤ配置部１２に配置されたＬＥＤからなる光源部２１、２２、２３と、内部空間４０１を有し、空間４０１に基板１の基部１１が挿入配置される基体部４０と、基体部４０に積み重ねられ、光源部２１、２２、２３の周囲を覆う透光性カバー４１、４２、４３と、基板１に搭載された電源回路部３１、光源制御部３２及び光源駆動回路部３３を含んでおり、光源駆動回路部３３は電源回路部３１から給電され、光源制御部３２からの指示に従って光源部２１、２２、２３を駆動する光表示装置Ａ。【選択図】図１
2014112564.tif 000002
【特許請求の範囲】
【請求項１】
基部及び前記基部と一体的に該基部から延在する発光ダイオード配置部とを含む一体型の発光ダイオード基板と、
前記発光ダイオード基板の前記発光ダイオード配置部に該発光ダイオード配置部の前記基部からの延在方向に少なくとも１段に配置された発光ダイオードからなる光源部と、
内部空間を有し、該内部空間に前記発光ダイオード基板の基部が挿入配置される基体部と、
前記基体部に積み重ねられ、前記光源部の周囲を覆う透光性カバーと、
前記発光ダイオード基板に搭載された電源回路部、光源制御部及び光源駆動回路部を含んでおり、
前記光源駆動回路部は前記電源回路部から給電され、前記光源制御部からの指示に従って前記光源部を駆動することを特徴とする光表示装置。
【請求項２】
前記電源回路部、光源制御部及び光源駆動回路部は前記発光ダイオード基板に搭載されているとともに前記光源部と前記光源駆動回路部が前記基板上でプリント配線接続されている請求項１記載の光表示装置。
【請求項３】
前記電源回路部、光源制御部及び光源駆動回路部は前記発光ダイオード基板に搭載されているとともに前記光源部と前記光源駆動回路部が中継線で接続されている請求項１記載の光表示装置。
【請求項４】
前記発光ダイオード基板には前記光源制御部からの指示により音警報を発する警報装置が搭載されている請求項１、２又は３記載の光表示装置。
【請求項５】
前記発光ダイオード基板の前記発光ダイオード配置部には前記光源部が複数段に配置されている請求項１から４のいずれか１項に記載の光表示装置。
【請求項６】
前記透光性カバーは前記各段の光源部ごとに設けられている請求項５項に記載の光表示装置。
【発明の詳細な説明】
【技術分野】
【０００１】
本発明は各種産業機器やパチンコ機等の各種娯楽機器などの機器類の動作状態或いは異常状態等の表示、工事現場、工場等における交通整理等のための交通標識としての表示、各種催しにおける表示、舞台装置の一部や店舗等における光装飾など、様々な分野での様々な目的の光表示に利用できる光表示装置に関する。
【背景技術】
【０００２】
従来、光表示装置は種々提案され、実用化されてきたが、その中に、それぞれが光源を発光ダイオードとして、予め定めた色の光表示を行える表示ユニットを基体部上に複数段に順次積み重ねた光表示装置がある。
【０００３】
この種の表示装置は特開２００５−１６４８３５号公報、特開２００６−３０７３９号公報、特開２０１０−６６４７１号公報等に記載されている。
【０００４】
これら文献に記載された光表示装置は、基体部に複数段に積み重ねられた表示ユニットのそれぞれが、他の表示ユニットや基体部とは別に準備されたその表示ユニット専用の発光ダイオード基板を備えているとともに発光ダイオード駆動回路を備えている。
【０００５】
各表示ユニットの発光ダイオードは別途設けられた制御回路から出力される発光ダイオード動作指示信号を受ける前記発光ダイオード駆動回路により駆動される。
【０００６】
このように上記特許文献に記載された光表示装置では、各表示ユニットごとに発光ダイオードを搭載した発光ダイオード基板が設けられているとともに発光ダイオード駆動回路が設けられている。また、各表示ユニットにおける発光ダイオード駆動回路に電力を供給するとともに制御回路から出力される発光ダイオード動作指示信号を入力するために、隣り合う表示ユニット間において電力ライン及び信号ラインを接続分離できるコネクタやハーネスが採用されている。
【０００７】
上記特許文献には示されていないが、隣り合う表示ユニット間の信号授受のための分離可能な接続手段として、隣り合う表示ユニットの一方に各種信号授受のための導電性金属突起を配列するとともに、他方の表示ユニットに、該他方のユニットを前記一方のユニットに重ね接続することで前記突起が接触する導電性金属からなる、信号授受のための被接触部を設け、これら突起と被接触部で隣り合う表示ユニット間の信号授受のための接触分離可能な接続手段とする例もある。
【先行技術文献】
【特許文献】
【０００８】
【特許文献１】特開２００５−１６４８３５号公報
【特許文献２】特開２００６−３０７３９号公報
【特許文献３】特開２０１０−６６４７１号公報
【発明の概要】
【発明が解決しようとする課題】
【０００９】
しかしながら、上記特許文献に記載された光表示装置によると、各表示ユニットごとに発光ダイオードを搭載した発光ダイオード基板が設けられているとともに発光ダイオード駆動回路が設けられており、さらに、各表示ユニットにおける発光ダイオード駆動回路に電力を供給するとともに制御回路から出力される発光ダイオード動作指示信号を入力するために、隣り合う表示ユニット間において電力ライン及び信号ラインを接続分離できるコネクタやハーネスが採用されている。
【００１０】
従って、構造が複雑化し、高価につくだけでなく、当初の組み立てが容易ではなく、修理等のために分解組み立てを行えば接続分離可能なコネクタやハーネスが損傷する等して動作不良を起こす恐れがある。
【００１１】
また、隣り合う表示ユニットの一方に各種信号授受のための導電性金属突起を配列するとともに他方に該突起が接触する導電性金属からなる被接触部を設ける光表示装置の場合でも、修理等のために分解組み立てを行えば接触分離可能な金属の突起と被接触部の接触不良や、摩耗、損傷等が生じて動作不良（例えば信号途切れによる動作不良）を起こす恐れがある。
【００１２】
そこで本発明は、従来の、各表示ユニットごとに発光ダイオードを搭載した発光ダイオード基板が設けられているとともに発光ダイオード駆動回路が設けられており、表示ユニット間において電力や信号のやりとりを行うラインを接続分離できるコネクタやハーネスが採用され、或いは表示ユニット間の信号授受のために接触分離可能な金属の突起とそれに対する被接触部からなる接続手段が採用されている光表示装置と比較すると、構造が簡素化され、安価に提供できるとともに、動作不良を招かないないように当初の組み立てや修理等のための分解組み立てなどを行い易い光表示装置を提供することを課題とする。
【課題を解決するための手段】
【００１３】
本発明は、
基部及び前記基部と一体的に該基部から延在する発光ダイオード配置部とを含む一体型の発光ダイオード基板と、
前記発光ダイオード基板の前記発光ダイオード配置部に該発光ダイオード配置部の前記基部からの延在方向に少なくとも１段に配置された発光ダイオードからなる光源部と、
内部空間を有し、該内部空間に前記発光ダイオード基板の基部が挿入配置される基体部と、
前記基体部に積み重ねられ、前記光源部の周囲を覆う透光性カバーと、
前記発光ダイオード基板に搭載された電源回路部、光源制御部及び光源駆動回路部を含んでおり、
前記光源駆動回路部は前記電源回路部から給電され、前記光源制御部からの指示に従って前記光源部を駆動する光表示装置を提供する。
【００１４】
本発明に係る光表示装置におるけ前記光源部は前記発光ダイオード基板の発光ダイオード配置部に、該発光ダイオード配置部の前記基部からの延在方向に１段配置されているだけでもよいが、複数段に配置されていてもよい。
【００１５】
本発明に係る光表示装置によると、前記光源部は、前記電源回路部から給電されるとともに前記光源制御部から光源部の動作状態に関する指示を受ける前記光源駆動回路部によって前記光源制御部からの指示に応じて駆動される。
【００１６】
前記光源部の発光ダイオードから発せられる光は該光源部の周囲を覆っている透光性カバーを通ってカバー外へ放たれる。このとき、発光ダイオードの発光色とカバーの色とで決まる色を呈してカバー外へ放たれる。
前記透光性カバーは、前記光源部が複数段に設けられている場合、それら複数段の光源部を覆うように一体的に形成されたものでもよいが、各段の光源部ごとに設けられていてもよい。
【００１７】
本発明に係る光表示装置では、発光ダイオードを含む光源部を搭載した発光ダイオード基板は、一つ物の一体型の基板、すなわち、基部及び該基部と一体的に該基部から延在する発光ダイオード配置部とを含む一体型の基板であり、光源部はこの基板に１段又は複数段に搭載されており、前記電源回路部、光源制御部及び光源駆動回路部は光源部を搭載したこの一体型基板に搭載されている。
【００１８】
このように本発明に係る光表示装置は光源部とそれに関連する部分の構造や配置が簡素化され、それだけ安価に提供できる。
また、本発明に係る光表示装置では、従来の光表示装置における表示ユニット間のコネクタやハーネス或いは金属の突起と被接触部からなる接続手段の当初の接続や修理点検等における分離と再接続の如き作業は不要であるから、それらコネクタ等の接触不良や、摩耗、損傷等による動作不良を招くことはなく、当初の組み立てや修理、点検等のための分解組み立てなどを行い易い。
【００１９】
前記光源制御部は、予め定めた制御信号を自動的に光源駆動回路部へ出力するように構成したものでもよいが、操作部を含んでいて、光源駆動回路部へ出力すべき制御信号を該操作部において指定できるものでもよい。
【００２０】
また、前記光源制御部は、制御信号入力部を含んでいて、該制御信号入力部が外部の操作部に接続され、動作させようとする光源部に応じた制御信号が該操作部から指定されるように構成されていてもよい。
【００２１】
また、前記光源制御部が制御信号入力部を含んでいて、該制御信号入力部が本発明に係る光表示装置を用いて動作状態等を表示させようとする機器等に接続されるなどして、動作させようとする光源部に応じた動作指定信号が該機器等から入力されるように構成されていてもよい。
【００２２】
前記電源回路部はバッテリーを用いるもの、外部から電力（例えば商用電源からの電力）を供給されて光表示装置用の電力を生成するものなどのいずれであってもよい。
【００２３】
前記光源駆動回路部は前記発光ダイオード基板に搭載されているのであるが、例えば光表示装置が大きいサイズのものである場合などは、該光源駆動回路部を中継線で前記光源部と接続してもよい。また、場合によっては、コンパクト化等のために前記光源駆動回路部は前記発光ダイオード基板上で前記光源部にプリント配線接続されていてもよい。
【００２４】
前記発光ダイオード基板には前記光源制御部からの指示により音警報を発する警報装置が搭載されていてもよい。
この場合、前記光源制御部が操作部を含んでいる、或いは光源制御部が制御信号入力部を含んでいてそれが外部の操作部に接続されるようになっているときには、該操作部において警報装置による音警報を許可するか否かを指定できるようになっていてもよい。
【００２５】
また、前記光源制御部が制御信号入力部を含んでいてそれが機器等に接続されるなどして、動作させようとする前記光源部に応じた表示信号（動作指定信号）が該機器等から入力されるように構成されているときには、警報装置を動作させるか否かの信号も該制御信号入力部で受信できるようにしてあってもよい。
【発明の効果】
【００２６】
以上説明したように本発明によると、従来の、各表示ユニットごとに発光ダイオードを搭載した発光ダイオード基板が設けられているとともに発光ダイオード駆動回路が設けられており、表示ユニット間において電力や信号のやりとりを行うラインを接続分離できるコネクタやハーネスが採用され、或いは表示ユニット間の信号授受のために接触分離可能な金属の突起とそれに対する被接触部からなる接続手段が採用されている光表示装置と比較すると、構造が簡素化され、安価に提供できるとともに、動作不良を招かないないように当初の組み立てや修理等のための分解組み立てなどを行い易い光表示装置を提供することができる。
【図面の簡単な説明】
【００２７】
【図１】本発明に係る光表示装置の１例の正面図である。
【図２】図１の光表示装置の、一部を断面で示す正面図である。
【図３】図１の光表示装置の、一部を断面で示すとともに発光ダイオード基板を透かし表示した正面図である。
【図４】図１の光表示装置の基体部の図１のＸ−Ｘ線に沿う断面図である。
【図５】図１の光表示装置のキャップを外した概略平面図である。
【図６】図１の光表示装置のキャップ及び最上段の透光性カバーを外した概略平面図である。
【図７】図１の光表示装置のキャップ及び全段の透光性カバーを外すとともに発光ダイオード基板を最下段の光源部の下側部位で水平に切断した状態の概略平面図である。
【図８】発光ダイオード基板とそれに搭載された光源部等の正面図である。
【図９】光源部の発光ダイオード配列状態例を示す図である。
【図１０】本発明に係る光表示装置のさらに他の例の正面図である。
【図１１】図１０の光表示装置の外キャップを外した平面図である。
【図１２】図１０の光表示装置の各筒状透光性カバーの平面図である。
【図１３】図１０の光表示装置の図１０のＹ−Ｙ線に沿う断面図である。
【図１４】図１０の光表示装置の底面図である。
【図１５】図１０の光表示装置における発光ダイオード基板とそれに搭載された光源部等の斜視図である。
【発明を実施するための形態】
【００２８】
本発明に係る光表示装置例について図面を参照して説明する。
図１から図９は本発明に係る光表示装置の１例Ａを示している。
光表示装置Ａは発光ダイオード基板１と、基板１を納めるケース４を含んでいる。
以下、発光ダイオードはＬＥＤと言うことがある。
【００２９】
基板１は、図１、図２及び図８に示すように、基部１１及び基部１１から一体的に延在するＬＥＤ配置部１２を含む薄板状の基板である。基部１１はＬＥＤ配置部１２よりやや幅広く、しかし下端部１１１は少し幅狭く形成されている。ＬＥＤ配置部１２には、基部１１からの延在方向に３段にＬＥＤからなる光源部２１、２２、２３が配設されている。
【００３０】
光源部２１はＬＥＤ配置部１２の両面のそれぞれに４個ずつ配置された赤色ＬＥＤ１からなっており、光源部２２はＬＥＤ配置部１２の両面のそれぞれに４個ずつ配置された黄色ＬＥＤ２からなっており、光源部２３はＬＥＤ配置部１２の両面のそれぞれに４個ずつ配置された緑色ＬＥＤ３からなっている。各ＬＥＤは主たる放光方向が一定方向に定まった所謂砲弾型のＬＥＤである。
【００３１】
各光源部のＬＥＤは、図９に示すように、この光表示装置Ａが高所に配置されたときでも下方から発光を視認し易いように、基板１の長手方向（上下方向）を横切る方向に対し、主たる放光方向を角度θ下方へ傾けて配置してもよい。
【００３２】
基板１の基部１１には電源回路部３１、光源制御部３２、光源駆動回路部３３、音警報を発する警報装置３４が搭載されている。
【００３３】
電源回路部３１はバッテリーを用いるものでもよいが、本例では、電源線Ｌ１にて外部電源から給電されて光表示装置用の電力を生成し、光源制御部３２、光源駆動回路部３３及び警報装置３４にそれらの動作に要求される電力を供給することができるものである。
【００３４】
光源駆動回路部３３はまとめて回路部３３として図示してあるが、光源部２１、２２、２３のそれぞれに対応する駆動回路部を含むものである。
光源部２１、２２、２３は中継線２１１、２２１、２３１によりそれぞれ光源駆動回路部３３に接続されている。
【００３５】
光源制御部３２は、本例では制御信号入力部３２１を含んでおり、これに接続された制御線Ｌ２にて外部から、動作させようとする光源部に応じた動作指定信号、或いはさらに警報を指示する信号が光源制御部３２へ入力されるようになっている。制御線Ｌ２は外部の手動操作部（図示省略）或いは動作状態や異常を報知しようとする機器類等（図示省略）に接続できる。
【００３６】
なお、光源制御部３２は、予め定めた制御信号を自動的に光源駆動回路部３３へ出力するように構成したものでもよく、或いはケース２に搭載された手動操作部を含んでいて、光源駆動回路部３３へ出力すべき制御信号或いはさらに警報指示信号を該操作部において指定できるものでもよい。
【００３７】
いずれにしても、光源駆動回路部３３は電源回路部から給電され、光源制御部３２からの指示に従って光源部２１、２２、２３のうち１又は２以上を駆動する。
【００３８】
以上説明した基板１はそれに搭載された電源回路部３１、光源制御部３２、光源駆動回路部３３及び警報装置３４ごとケース４に納められている。
【００３９】
図１、図２及び図３に示すように、ケース４は、内部空間４０１を有する有底円筒形状の基体部４０、これに３段に積み重ね接続された透光性の円筒状カバー４１、４２、４３及び最上段のカバー４３に被着されたキャップ４４を含んでいる。各円筒状カバーは着色されていてもよいが、本例では透明カバーである。
【００４０】
図１〜図４に示すように、ケース基体部４０はその内部空間４０１の底部に底部材４０２を嵌め込んだものである。底部材４０２には基板支持柱４０３が一対立設されている。基板１はその基部１１がケース基体部４０の内部空間４０１内に挿入され、下端部１１１が各支持柱４０３の縦溝ｇに嵌め込まれて該支持柱４０３に座るとともに該支持柱４０３から立ち上がり、基体部４１の上端開口から上方へ突出している。
【００４１】
図１〜図３に示すように、ケース基体部４０の底壁４００には底壁下方へ向かって延びる３本のボルトＢ１が突設されている。ボルトＢ１は光表示装置Ａを図示省略の機器類等に搭載固定すること等に利用できる。底部材４０２がこれらボルトＢ１と干渉しないように、図４に示すように底部材４０２に形成した孔４０２０にボルト頭Ｂ１１が遊嵌している。
【００４２】
また、底部材４０２は底壁４００に配置されており、両者を貫通する孔Ｈ１が形成されており、前記の電源線Ｌ１及び制御線Ｌ２はこの孔に通され、外部へ引き出される。
【００４３】
ケース基体部４０の頂部には１段目の円筒状カバー４１が接続機構にて分離可能にしっかりと嵌着され、積み重ね接続されている。さらにこのカバー４１の頂部に２段目の円筒状カバー４２が、２段目カバー４２の頂部に３段目の円筒状カバー４３がそれぞれ接続機構にて分離可能にしっかりと嵌着され、積み重ね接続されている。最上段のカバー４３にはキャップ４４が接続機構にて分離可能にしっかりと被着されている。
【００４４】
前記接続機構は螺子機構等でもよいが、本例では、基体部４０の頂部に周設したリング状凸条とこれに強制的に嵌められるカバー４１下端部内周の溝とからなるもの、カバー４１の頂部に周設したリング状凸条とこれに強制的に嵌められるカバー４２下端部内周の溝とからなるもの、カバー４２の頂部に周設したリング状凸条とこれに強制的に嵌められるカバー４３下端部内周の溝とからなるもの、カバー４３の頂部に周設したリング状凸条とこれに強制的に嵌められるキャップ４４下端部内周の溝とからなるものである。
各接続機構にはシール用リングを挟むようにしてもよい。
【００４５】
これら３段の円筒状カバーは頂部の構造を除けば同じものである。
図５は図１の光表示装置Ａにおいてキャップ４４を外した状態の概略平面図である。
図５では３段目のカバー４３と基板１が見えている。
【００４６】
カバー４３はリング状の頂壁４５’を有している。頂壁４５’は互いに向かい合う一対の張り出し部４５１及びその両側の空間部４６を提供している。頂壁４５はさらに一対のフック係合部４７を有している。一対の張り出し部４５１には互いに向かい合うスリットＳが形成されている。フック係合部４７は幅の広い孔部分４７１とそれに続く幅狭い孔部４７２とからなっている。
【００４７】
図６は図１の光表示装置Ａにおいてキャップ４４及び最上段カバー４３を外した状態の概略平面図である。
図６では２段目のカバー４２と基板１が見えている。２段目のカバー４２を外すと１段目のカバー４１が見えるが、それは図６と同じように見える。すなわち、１段目、２段目のカバー４１、４２は同じものである。
【００４８】
３段目のカバー４３は頂壁４５’にフック係合部４７を有しているのに対し、１段目、２段目のカバー４１、４２の頂壁４５はそのようなフック係合部を備えていない。この点を除けば１段目、２段目のカバー４１、４２はカバー４３と同じものである。
【００４９】
キャップ４４は、図１〜図３に示すように、内面に基板１の頂部に接して下方へ押す押圧部４４１を有しているとともに、下端がＬ字状に屈曲した一対のフック部４４２を有している。
【００５０】
カバー４１〜４３は次のようにして基板１に外嵌させるとともにケース基体部４０に積み重ねることができる。
すなわち、１段目カバー４１は、予め基体部４０に挿入され立設された基板１に、３段目及び２段目の光源部２３、２２がカバー頂壁４５の空間部４６を通過するように、且つ、基板１の両側端部がカバー頂壁４５の一対のスリットＳに嵌まり通るようにして基板１に外嵌させつつ基体部４０の頂部に嵌着させ、積み重ねる。
【００５１】
２段目カバー４２は、３段目光源部２３が２段目カバー頂壁４５の空間部４６を通過するように、且つ、基板１の両側端部がカバー頂壁４５の一対のスリットＳに嵌まり通るようにして基板１に外嵌させつつ１段目カバー４１の頂部に嵌着させ、積み重ねる。
【００５２】
３段目カバー４３は、基板１の両側端部がカバー頂壁４５’の一対のスリットＳに嵌まり通るようにして基板１に外嵌させつつ２段目カバー４２の頂部に嵌着させ、積み重ねる。その後に３段目カバー４３の頂部にキャップ４４を被せ、そのフック４４２を３段目カバー頂壁４５’のフック係合部４７の幅広い孔部分４７１から嵌めて回すことで幅狭い孔部４７２で係合させる。かくしてキャップ４４をカバー４３に被着し、キャップ内面の基板押圧部４４１で基板１の頂部を基体部４０内の基板支持柱４０３へ押しつけ固定する。  かくして図１に示すように、光源部２１、２２、２３の周囲が透明カバー４１、４２、４３でそれぞれ覆われた光表示装置Ａが提供される。
【００５３】
光表示装置Ａは、ケース４の基体部４０の底壁孔Ｈ１から引き出されている電源線Ｌ１を図示省略の外部電源に接続するとともに、制御線Ｌ２を外部の手動操作部或いは機器類等に接続して使用される。
【００５４】
光源部２１、２２、２３のそれぞれは、電源回路部３１から給電されるとともに光源制御部３２から動作制御信号を受ける光源駆動回路部３３により駆動される。光源制御部３２の制御信号入力部３２には、制御線Ｌ２にて外部から光源部及び警報装置の動作指定信号が入力され、光源制御部３２はその指定信号に基づいて光源駆動回路部３３へ各光源部の動作制御信号を出力し、或いはさらに警報装置３４へ音警報を発するべき旨の信号を出力する。
【００５５】
かくして光源部２１、２２、２３のうちの１又は２以上の光源部の発光ダイオードが制御部３２からの指示に従って発光し、また、警報装置３４が制御部３２から指示があったときは警報を発する。発光ダイオードから発せられる光は光源部の周囲を覆っている透光性カバー４１、４２、４３を通ってカバー外へ放たれる。
【００５６】
図１０から図１５は本発明に係る光表示装置の他の例Ｂを示している。
図１０は装置Ｂの正面図である。図１０に示すように光表示装置ＢはＬＥＤ基板５と、基板５を納めるケース８を含んでいる。
【００５７】
図１５は基板５の斜視図である。基板５は、図１０及び図１５等に示すように、基部５１及び基部５１から一体的に延在するＬＥＤ配置部５２を含む薄板状の基板である。基板５は下端部５１１がやや幅狭くなっているが、その点を除けば全体的に同じ幅に形成されている。
【００５８】
ＬＥＤ配置部５２には、基部５１からの延在方向に３段にＬＥＤからなる光源部６１、６２、６３が配設されている。
光源部６１はＬＥＤ配置部５２の両面のそれぞれに２個ずつ配置された赤色ＬＥＤ１１からなっており、光源部６２はＬＥＤ配置部５２の両面のそれぞれに２個ずつ配置された黄色ＬＥＤ２１からなっており、光源部６３はＬＥＤ配置部５２の両面のそれぞれに２個ずつ配置された緑色ＬＥＤ３１からなっている。各ＬＥＤは所謂表面実装型のＬＥＤである。
【００５９】
基板５の基部５１には電源回路部７１、光源制御部７２、光源駆動回路部７３、音警報を発する警報装置７４が搭載されている。
【００６０】
電源回路部７１はバッテリーを用いるものでもよいが、本例では、電源線Ｌ１１にて外部電源から給電されて光表示装置用の電力を生成し、光源制御部７２、光源駆動回路部７３及び警報装置７４にそれらの動作に要求される電力を供給することができるものである。
【００６１】
光源駆動回路部７３はまとめて回路部７３として図示してあるが、光源部６１、６２、６３のそれぞれに対応する駆動回路部を含んでいる。
光源部６１、６２、６３は図示を省略しているが基板５上のプリント配線により光源駆動回路部７３に接続されている。
【００６２】
光源制御部７２は、本例では制御信号入力部７２１を含んでおり（図１０参照）、これに接続された制御線Ｌ２１にて外部から、動作させようとする光源部に応じた動作指定信号、或いはさらに警報を指示する信号が光源制御部７２へ入力されるようになっている。制御線Ｌ２１は外部の手動操作部（図示省略）或いは動作状態や異常を報知しようとする機器類等（図示省略）に接続できる。
【００６３】
なお、光源制御部７２は、予め定めた制御信号を自動的に光源駆動回路部７３へ出力するように構成したものでもよく、或いはケース８に搭載された手動操作部を含んでいて、光源駆動回路部７３へ出力すべき制御信号或いはさらに警報指示信号を該操作部において指定できるものでもよい。
【００６４】
いずれにしても、光源駆動回路部７３は電源回路部７１から給電され、光源制御部７２からの指示に従って光源部６１、６２、６３のうち１又は２以上を駆動する。
【００６５】
以上説明した基板５はそれに搭載された電源回路部７１、光源制御部７２、光源駆動回路部７３及び警報装置７４ごとケース８に納められている。
【００６６】
図１０に示すように、ケース８は、内部空間８０１を有する有底円筒形状の基体部８０、これに３段に積み重ね接続された透光性の円筒状カバー８１、８２、８３、最上段のカバー８３に被着された内キャップ８４及びそれに被着された外キャップ８５を含んでいる。図１２は円筒状カバー８１、８２、８３の平面図である。各円筒状カバーは着色されていてもよいが、本例では透明カバーである。
【００６７】
図１３は図１０のＺ−Ｚ線に沿う断面図であり、図１４は表示装置Ｂの底面図である。  図１０、図１３、図１４に示すように、ケース基体部８０はその底壁８００に基板差し込み孔８０ｈを有している。また、底壁８００からその下方へ向け突出するボルトＢ２を有しているとともに前記電源線Ｌ１１及び制御線Ｌ２１を外部へ引き出すための底壁孔Ｈ２を有している。ボルトＢ２は光表示装置Ｂを図示省略の機器類等に搭載固定等することに利用できる。
【００６８】
ＬＥＤ基板５はその基部５１がケース基体部８０内の空間部８０１に挿入され、基板下端部５１１が底壁８００の基板差し込み孔８０ｈに分離可能に、しかし、引き抜き力が加わらなければその位置に保持されるように嵌着されて、基体部８０の底壁８００から立ち上がり、基体部８０の上端開口から上方へ突出している。
【００６９】
ケース基体部８０の頂部には１段目の円筒状カバー８１が分離可能に嵌合接続され、このカバー８１の頂部に２段目の円筒状カバー８２が、２段目カバー８２の頂部に３段目の円筒状カバー８３がそれぞれ分離可能に嵌合接続され、さらにカバー８３の頂部に内キャップ８４が嵌合接続されている。
【００７０】
図１１は外キャップ８５を外した状態での光表示装置Ｂの平面図である。図１１では内キャップ８４及び基板５の頂部が見えている。内キャップ８４にはボルト孔８４２が一対形成されている。これらボルト孔８４２からボルト９が挿入される。ボルト９はボルト頭９１が内キャップ８４の頂面で支えられる恰好で、カバー８３〜８１及び基体部８０を貫通し、基体部８０の底壁８００の外側まで延び、そこでナット９２にて緊締されている（図１４参照）。
【００７１】
このようにして基体５、ケース８の各部８０〜８４は分解、再組み立て可能に組み立てられている。内キャップ８４には外キャップ８５が被着され、それにより基板５の頂部及びボルト頭９１が覆われている。
【００７２】
かくして図１０に示すように、光源部６１、６２、６３の周囲が透明カバー８１、８２、８３でそれぞれ覆われた光表示装置Ｂが提供される。
【００７３】
ケース８における基体部８０とカバー８１の間、カバー８１と８２の間、カバー８２と８３の間、カバー８３と内キャップ８４の間、或いはさらに内キャップ８４と外キャップ８５の間にはシール用リングを挟むようにしてもよい。
【００７４】
光表示装置Ｂは、ケース８の基体部８０の底壁孔Ｈ２から引き出されている電源線Ｌ１１を図示省略の外部電源に接続するとともに、制御線Ｌ２１を外部の手動操作部或いは機器類等に接続して使用できる。
【００７５】
光源部６１、６２、６３のそれぞれは、電源回路部７１から給電されるとともに光源制御部７２から動作制御信号を受ける光源駆動回路部７３により駆動される。光源制御部７２の制御信号入力部７２１には、制御線Ｌ２１にて外部から光源部及び警報装置の動作指定信号が入力され、光源制御部７２はその指定信号に基づいて光源駆動回路部７３へ各光源部の動作制御信号を出力し、或いはさらに警報装置７４へ音警報を発するべき旨の信号を出力する。光源部６１、６２、６３の発光ダイオードから発せられる光は光源部の周囲を覆っている透光性カバー８１、８２、８３を通ってカバー外へ放たれる。
【００７６】
光表示装置Ａ、Ｂにおける制御線Ｌ２、Ｌ２１により外部から光源制御部３２、７２へ入力される光源部の動作指定は、どようなものでもよいが、例えば、次のようなものを挙げることができる。
・正常を知らせるために緑色光源部２３、６３を点灯させる指定、
・注意を促すために黄色光源部２２、６２を点灯させる指定、
・異常を知らせるために赤色光源部２１、６１を点灯させる指定、
・緊急自体、危険状態を知らせるために、全ての光源部を一斉に点滅させる指定、
・宣伝広告照明用に人目をひきやすいように全ての光源部を一斉に点灯させる指定、
・何事かを報知するために予め定めた光源部を点灯させる指定、
・宣伝広告、注意喚起等のために１又は２以上の光源部においてＬＥＤを１個又は複数個を一組として、順次点灯消灯を繰り返させることで回転灯様に発光させる指定。
【００７７】
以上説明した光表示装置Ａ、Ｂは、発光ダイオードを含む光源部を搭載した発光ダイオード基板１、５が、一つ物の一体型の基板であり、光源部２１〜２３、６１〜６３はこの基板に搭載されており、電源回路部３１、７１、光源制御部３２、７２及び光源駆動回路部３３、７３は光源部２１〜２３、６１〜６３を搭載したこの一体型基板１、５に搭載されている構造を採用している。
【００７８】
このように光表示装置Ａ、Ｂは構造が簡素化されているので、それだけ安価に提供できる。
また、従来の光表示装置における表示ユニット間のコネクタやハーネス或いは金属の突起と被接触部からなる接続手段の当初の接続や修理点検等における分離と再接続の如き作業は不要であるから、それらコネクタ等の接触不良や、摩耗、損傷等による動作不良を招くことはなく、当初の組み立てや修理、点検等のための分解組み立てなどを行い易い。
【００７９】
光表示装置Ａ、Ｂでは、それぞれ異なる発光色を呈する３段の光源部を採用しているが、光源部の段数、光源部の発光色、いずれの段にいずれの発光色の光源部を配置するかなどは、光表示装置の使用目的等に応じて任意に選択、採用できる。例えば光源部の段数に関して言えば、１段でも、２段でも、４段以上でもよい。
【産業上の利用可能性】
【００８０】
本発明は、構造が簡素化され、安価に提供できるとともに修理等のために分解組み立てを行っても動作不良を起こし難い光表示装置を提供することに利用できる。
【符号の説明】
【００８１】
Ａ、Ｂ  光表示装置
１、５  発光ダイオード基板（ＬＥＤ基板）
１１  基部
１１１  基部の下端部
１２  ＬＥＤ配置部
２１、２２、２３  光源部
ＬＥＤ１、ＬＥＤ１１  赤色発光ダイオード
ＬＥＤ２、ＬＥＤ２１  黄色発光ダイオード
ＬＥＤ３、ＬＥＤ３１  緑色発光ダイオード
３１、７１  電源回路部
３２、７２  光源制御部
３２１、７２１  制御信号入力部
３３、７３  光源駆動回路部
３４、７４  警報装置
２１１、２２１、２３１  中継線
Ｌ１、Ｌ１１  電源線
Ｌ２、Ｌ２１  制御線
４、８  ケース
４０、８０  基体部
４０１、８０１  内部空間
４００、８００  底壁
４０２  底部材
４０３  基板支持柱
８０ｈ  基板嵌着用の底壁孔
４１、４２、４３、８１、８２、８３  円筒状カバー
４４  キャップ
８４  内キャップ
８５  外キャップ
Ｂ１、Ｂ２、９１  ボルト
９１１  ナット
【図１】
2014112564.tif 000003
【図２】
2014112564.tif 000004
【図３】
2014112564.tif 000005
【図４】
2014112564.tif 000006
【図５】
2014112564.tif 000007
【図６】
2014112564.tif 000008
【図７】
2014112564.tif 000009
【図８】
2014112564.tif 000010
【図９】
2014112564.tif 000011
【図１０】
2014112564.tif 000012
【図１１】
2014112564.tif 000013
【図１２】
2014112564.tif 000014
【図１３】
2014112564.tif 000015
【図１４】
2014112564.tif 000016
【図１５】
2014112564.tif 000017